(57)【要約】      （修正有）【課題】Ｂｌｕｅｔｏｏｔｈ（登録商標）イヤホンに合わせる様々なアクセサリーを削減し、全体構造を簡単にしたマウスアッセンブリを提供する。【解決手段】マウス１と、Ｂｌｕｅｔｏｏｔｈイヤホン３とを備え、マウスは、マウス本体１１と、ルーフ１２とを備え、マウス本体内には電池が設けられ、マウス本体には開口を上向きにして電池と接続される充電キャビン１１２が設けられ、イヤホンが充電キャビンに収容され、ルーフは充電キャビンを覆う。イヤホンはマウス本体内に収容され、紛失しにくく、専用の収容ケースが不要である。マウス本体には充電キャビンが設けられ、マウス本体の電池がＢｌｕｅｔｏｏｔｈイヤホンを充電し、専用の充電台を配置する必要がない。【選択図】図２
0003231034.tif 000002
【実用新案登録請求の範囲】
【請求項１】
マウスと、Ｂｌｕｅｔｏｏｔｈイヤホンとを備え、前記マウスは、マウス本体と、ルーフとを備え、前記マウス本体内には電池が設けられるマウスアッセンブリであって、
前記マウス本体には、開口を上向きにして前記電池と電気的に接続される充電キャビンが設けられ、前記Ｂｌｕｅｔｏｏｔｈイヤホンが前記充電キャビンに収容され、前記ルーフは前記充電キャビンを覆う、ことを特徴とするマウスアッセンブリ。
【請求項２】
前記マウスは有線マウスであり、前記マウス本体には、前記電池と電気的に接続される接続線が設けられ、前記接続線の前記マウス本体から離れた一端にはプラグが設けられる、ことを特徴とする請求項１に記載のマウスアッセンブリ。
【請求項３】
前記マウスは無線マウスであり、前記マウスアッセンブリは、無線受信機をさらに備え、前記マウス本体には、開口を上向きにして前記無線受信機を収容するための収容キャビンがさらに設けられる、ことを特徴とする請求項１に記載のマウスアッセンブリ。
【請求項４】
前記マウス本体の尾端の頂部には、二つの充電キャビンが間隔をあけて設けられ、
前記収容キャビンは、前記収容キャビンに対して対称に設けられる二つの前記充電キャビンの間に位置する、ことを特徴とする請求項３に記載のマウスアッセンブリ。
【請求項５】
前記充電キャビンの内側壁には、前記電池と電気的に接続される第１の充電接片が設けられ、前記Ｂｌｕｅｔｏｏｔｈイヤホンの外側壁には、前記第１の充電接片と係合する第２の充電接片が設けられる、ことを特徴とする請求項１に記載のマウスアッセンブリ。
【請求項６】
前記収容キャビンの開口において、対向する両側にはそれぞれ逃げ溝が設けられる、ことを特徴とする請求項３に記載のマウスアッセンブリ。
【請求項７】
前記マウス本体および前記ルーフの両方のうち、一方に磁気吸着アッセンブリが設けられ、他方に前記磁気吸着アッセンブリに合わせる磁気アッセンブリが設けられる、ことを特徴とする請求項１に記載のマウスアッセンブリ。
【請求項８】
前記磁気吸着アッセンブリは、前記マウス本体に設けられた第１の磁気吸着部材および第２の磁気吸着部材を備え、前記磁気アッセンブリは、前記ルーフに設けられた第１の磁気部材および第２の磁気部材を備え、前記第１の磁気部材は前記第１の磁気吸着部材に合わせて設けられ、前記第２の磁気部材は前記第２の磁気吸着部材に合わせて設けられる、ことを特徴とする請求項７に記載のマウスアッセンブリ。
【請求項９】
前記マウス本体の頂部には、前記Ｂｌｕｅｔｏｏｔｈイヤホンの充電状態を指示するための指示ランプが設けられる、ことを特徴とする請求項１に記載のマウスアッセンブリ。
【請求項１０】
前記ルーフの先端には、マウス本体の左ボタンの上方および右ボタンの上方にそれぞれ位置する二つの弾性押圧部が設けられる、ことを特徴とする請求項１に記載のマウスアッセンブリ。
【請求項１１】
前記マウス本体には、前記電池と電気的に接続される充電インタフェースが設けられ、前記充電インタフェースは前記マウス本体に露出する、ことを特徴とする請求項３に記載のマウスアッセンブリ。
【請求項１２】
前記マウスは２．４Ｇ無線マウスであり、前記無線受信機は２．４Ｇ無線マウス信号受信機である、ことを特徴とする請求項３に記載のマウスアッセンブリ。
【考案の詳細な説明】
【技術分野】
【０００１】
本考案はマウスの技術分野に関し、特にマウスアッセンブリに関するものである。
【背景技術】
【０００２】
使い勝手の向上のために、コンピュータを使用する際には、一般的にマウスや無線キーボードが使用され、Ｂｌｕｅｔｏｏｔｈ技術の発展に伴い、Ｂｌｕｅｔｏｏｔｈイヤホンの利用も広くなってきている。現在市販されているマウスは、有線マウスと、無線マウスとを含み、機能が単一でユーザの選択性が低い。しかしながら、マウスとＢｌｕｅｔｏｏｔｈイヤホンを同時に使用する場合、二つの無線受信機が必要であり、また、Ｂｌｕｅｔｏｏｔｈイヤホンは、別途の充電器でそれを充電する必要があり、マウスとＢｌｕｅｔｏｏｔｈイヤホンは、様々なアクセサリーが多く必要である。
【０００３】
また、Ｂｌｕｅｔｏｏｔｈイヤホンが使用されていない場合、それを安置するための安置ケースが別途必要があり、そうしないと、Ｂｌｕｅｔｏｏｔｈイヤホンが紛失しやすくなる。
【０００４】
そのため、上記の課題を解決するために、差し迫ってマウスアッセンブリを必要とする。
【考案の概要】
【考案が解決しようとする課題】
【０００５】
本考案は、マウスとＢｌｕｅｔｏｏｔｈイヤホンに合わせる様々なアクセサリーを削減し、マウスアッセンブリの全体構造をより簡単にするマウスアッセンブリを提供することを目的とする。
【課題を解決するための手段】
【０００６】
この目的を達成するために、本考案は以下の技術案を採用する。
マウスと、Ｂｌｕｅｔｏｏｔｈイヤホンとを備え、前記マウスは、マウス本体と、ルーフとを備え、前記マウス本体内には電池が設けられ、前記マウス本体には、開口を上向きにして前記電池と電気的に接続される充電キャビンが設けられ、前記Ｂｌｕｅｔｏｏｔｈイヤホンが前記充電キャビンに収容され、前記ルーフは前記充電キャビンを覆う、マウスアッセンブリを提供する。
【０００７】
マウスアッセンブリの好ましい技術案として、前記マウスは有線マウスであり、前記マウス本体には、前記電池と電気的に接続される接続線が設けられ、前記接続線の前記マウス本体から離れた一端にはプラグが設けられる。
【０００８】
マウスアッセンブリの好ましい技術案として、前記マウスは無線マウスであり、前記マウスアッセンブリは、無線受信機をさらに備え、前記マウス本体には、開口を上向きにして前記無線受信機を収容するための収容キャビンがさらに設けられる。
【０００９】
マウスアッセンブリの好ましい技術案として、前記マウス本体の尾端の頂部には、二つの充電キャビンが間隔をあけて設けられ、
前記収容キャビンは、前記収容キャビンに対して対称に設けられる二つの前記充電キャビンの間に位置する。
【００１０】
マウスアッセンブリの好ましい技術案として、前記充電キャビンの内側壁には、前記電池と電気的に接続される第１の充電接片が設けられ、前記Ｂｌｕｅｔｏｏｔｈイヤホンの外側壁には、前記第１の充電接片と係合する第２の充電接片が設けられ。
【００１１】
マウスアッセンブリの好ましい技術案として、前記収容キャビンの開口において、対向する両側にはそれぞれ逃げ溝が設けられる。
【００１２】
マウスアッセンブリの好ましい技術案として、前記マウス本体および前記ルーフの両方のうち、一方に磁気吸着アッセンブリが設けられ、他方に前記磁気吸着アッセンブリに合わせる磁気アッセンブリが設けられる。
【００１３】
マウスアッセンブリの好ましい技術案として、前記磁気吸着アッセンブリは、前記マウス本体に設けられた第１の磁気吸着部材および第２の磁気吸着部材を備え、前記磁気アッセンブリは、前記ルーフに設けられた第１の磁気部材および第２の磁気部材を備え、前記第１の磁気部材は前記第１の磁気吸着部材に合わせて設けられ、前記第２の磁気部材は前記第２の磁気吸着部材に合わせて設けられる。
【００１４】
マウスアッセンブリの好ましい技術案として、前記マウス本体の頂部には、前記Ｂｌｕｅｔｏｏｔｈイヤホンの充電状態を指示するための指示ランプが設けられる。
【００１５】
マウスアッセンブリの好ましい技術案として、前記ルーフの先端には、マウス本体の左ボタンの上方および右ボタンの上方にそれぞれ位置する二つの弾性押圧部が設けられる。
【００１６】
マウスアッセンブリの好ましい技術案として、前記マウス本体には、前記電池と電気的に接続される充電インタフェースが設けられ、前記充電インタフェースは前記マウス本体に露出する。
【００１７】
マウスアッセンブリの好ましい技術案として、前記マウスは２．４Ｇマウスであり、前記無線受信機は２．４Ｇマウス信号受信機である。
【考案の効果】
【００１８】
本考案は、以下のような有益な効果がある。
Ｂｌｕｅｔｏｏｔｈイヤホンはマウス本体内に収容することができ、紛失しにくく、専用の収容ケースが不要である。マウス本体には充電キャビンが設けられ、マウス本体の電池はＢｌｕｅｔｏｏｔｈイヤホンを充電することができ、専用の充電台を配置する必要はない。該マウスアッセンブリは、Ｂｌｕｅｔｏｏｔｈイヤホンに合わせる様々なアクセサリーを削減し、マウスアッセンブリの全体構造をより簡単にする。
【図面の簡単な説明】
【００１９】
【図１】本考案の実施例１に係るマウスアッセンブリの第１の視角の構造模式図である。
【図２】本考案の実施例１に係るマウスアッセンブリの第２の視角の構造模式図である。
【図３】本考案の実施例１に係るマウスアッセンブリの構造分解模式図である。
【図４】本考案の実施例１に係るマウス本体の構造模式図である。
【図５】本考案の実施例２に係るマウスアッセンブリの第１の視角の構造模式図である。
【図６】本考案の実施例２に係るマウスアッセンブリの第２の視角の構造模式図である。
【図７】本考案の実施例２に係るマウスアッセンブリの構造分解模式図である。
【図８】本考案の実施例２に係るマウス本体の構造模式図である。
【考案を実施するための形態】
【００２０】
本考案の実施例の目的、技術案、利点をより明確にするために、以下、本考案の実施例における図面を参照しながら本考案の実施例における技術案を明瞭かつ完全に説明し、記載された実施例は、本考案の一部の実施例に過ぎず、本考案の全ての実施例ではないことが明らかである。本明細書の図面に一般的に説明され、示された本考案の実施例におけるアッセンブリは、様々な異なる構成で配置され、設計されることが可能である。
【００２１】
従って、以下、図面に係る本考案の実施例について詳細な説明は、本考案の登録請求の範囲を限定するものではなく、本考案の選択された実施例のみを示すものである。本考案における実施例に基づき、当業者が創造的な労力を払わずに想到し得る全ての他の実施例は、いずれも本考案の登録請求の範囲に属するものである。
【００２２】
以下の図面において、類似の符号又はアルファベットは類似の部分を示すことを注意すべきであり、そのため、ある一項が一つの図面において定義されると、次の図面においてそれをさらに定義し解釈する必要がない。
【００２３】
なお、本考案の説明において、用語「上」、「下」、「左」、「右」、「鉛直」、「水平」、「内」、「外」などが指示する方位や位置関係は、図面に示した方位や位置関係に基づくこと、又は該考案の製品が使用される際に慣例的に並べられている方位や位置関係であり、これらは、単に本考案の説明及び簡単に説明するためであり、示される装置又は素子が必ず特定の方位を有し、特定の方位で構造及び操作することを指示又は示唆するものではないので、本考案を限定するものと理解すべきない。また、用語「第１」、「第２」、「第３」などは、単に説明を区別するためだけに使用され、相対的な重要性を指示又は示唆するものと理解すべきない。本考案の説明において、特に断りのない限り、「複数」の意味は、２つ又は２つ以上である。
【００２４】
なお、本考案の説明において、特に明確な規定と限定がない限り、用語「設ける」、「接続」は広義の理解をすべきであり、例えば固定接続であってもよいし、着脱可能な接続であってもよいし、一体的な接続であってもよく、機械的な接続であってもよいし、電気的な接続であってもよく、直接的な接続であってもよい。当業者にとって、具体的な状況に応じて上記用語の本考案における具体的な意味を理解することができる。
【００２５】
本考案では、特に明確な規定と限定がない限り、第１の特徴が第２の特徴の「上」又は「下」にあることは、第１と第２の特徴が直接に接触することを含んでもよいし、第１と第２の特徴は、直接に接触することではなく、それらの間の別の特徴によって接触することを含んでもよい。そして、第１の特徴が第２の特徴の「上」、「上方」、「上面」にあることは、第１の特徴が第２の特徴の真上と斜め上にあることを含み、又は単に第１の特徴の水平高さが第２の特徴より高いことを示す。第１の特徴が第２の特徴の「下」、「下方」、「下面」にあることは、第１の特徴が第２の特徴のすぐ下と斜め下にあることを含み、又は単に第１の特徴の水平高さが第２の特徴より低いことを示す。
【００２６】
以下、本考案の実施例を詳細に説明し、前記実施例の例示は、図面に示され、一貫な同一又は類似の符号は、同一又は類似の素子を示し、あるいは同一又は類似の機能を有する素子を示す。以下、図面を参照しながら説明された実施例は例示的なものであり、本考案を解釈するためのものだけであり、本考案を限定するものと理解すべきではない。
【００２７】
実施例１
図１〜図４に示すように、本実施例は、マウス１と、Ｂｌｕｅｔｏｏｔｈイヤホン３とを備え、マウス１は、マウス本体１１と、ルーフ１２とを備え、マウス本体１１内には電池が設けられるマウスアッセンブリであって、マウス本体１１には、開口を上向きにして電池と電気的に接続される充電キャビン１１２が設けられ、Ｂｌｕｅｔｏｏｔｈイヤホン３が充電キャビン１１２に収容され、ルーフ１２は充電キャビン１１２を覆う、ことを特徴とするマウスアッセンブリを開示する。マウス１は有線マウスであり、マウス本体１１には、接続線（図示せず）が設けられ、接続線のマウス本体１１から離れた一端にはプラグが設けられる。マウス１をコンピュータに接続するように、プラグは、コンピュータに挿入されることができる。電池は接続線に接続され、コンピュータは、接続線と充電キャビン１１２を介して電池を充電することができ、電池はＢｌｕｅｔｏｏｔｈイヤホン３を充電できるようになっている。
【００２８】
Ｂｌｕｅｔｏｏｔｈイヤホン３はマウス本体１１内に収容することができ、紛失しにくく、専用の収容ケースが不要であり、マウス本体１１に充電キャビン１１２が設けられ、マウス本体１１の電池はＢｌｕｅｔｏｏｔｈイヤホン３を充電することができ、専用の充電台を配置する必要はない。該マウスアッセンブリは、Ｂｌｕｅｔｏｏｔｈイヤホンに合わせる様々なアクセサリーを削減し、マウスアッセンブリの全体構造をより簡単にする。
【００２９】
具体的には、マウス本体１１の尾端の頂部には、二つの充電キャビン１１２が間隔をあけて設けられ、充電キャビン１１２は、マウス本体１１の長手方向に沿って設けられ、二つの充電キャビン１１２は、対称に設けられる。Ｂｌｕｅｔｏｏｔｈイヤホン３は二つであり、それぞれ二つの充電キャビン１１２内に安置されている。Ｂｌｕｅｔｏｏｔｈイヤホン３の一部が充電キャビン１１２から突出し、ルーフ１２の内壁には、充電キャビン１１２から突出したＢｌｕｅｔｏｏｔｈイヤホン３の一部を収容するための収容溝１２３が設けられ、具体的には図４を参照する。
【００３０】
充電キャビン１１２の内側壁には、電池と電気的に接続される第１の充電接片１１２１が設けられ、Ｂｌｕｅｔｏｏｔｈイヤホン３の外側壁には、第１の充電接片１１２１と係合する第２の充電接片３１が設けられ、マウス本体１１内の電池が第１の充電接片１１２１と第２の充電接片３１を介してＢｌｕｅｔｏｏｔｈイヤホン３を充電することができる。具体的には、充電キャビン１１２の内壁には、三つの第１の充電接片１１２１が設けられ、Ｂｌｕｅｔｏｏｔｈイヤホン３には、三つの第２の充電接片３１が合わせて設けられる。第１の充電接片１１２１が弾性的に設けられることにより、第１の充電接片１１２１と第２充電接片３１との接触を良好に保つことができ、接触不良を回避することができる。
【００３１】
充電キャビン１１２内に、Ｂｌｕｅｔｏｏｔｈイヤホン３を吸着するための磁気部材が設けられ、Ｂｌｕｅｔｏｏｔｈイヤホン３が充電キャビン１１２内に安置されている場合、Ｂｌｕｅｔｏｏｔｈイヤホン３における磁石と磁気部材とは互いに吸着することができ、Ｂｌｕｅｔｏｏｔｈイヤホン３が充電キャビン１１２内に吸着され、自ら脱落しないようになっている。使用する必要がある場合には、取り出しも便利である。
【００３２】
マウス本体１１およびルーフ１２の両方のうち、一方に磁気吸着アッセンブリが設けられ、他方に磁気吸着アッセンブリに合わせる磁気アッセンブリが設けられる。具体的には、磁気吸着アッセンブリは、マウス本体１１に設けられた第１の磁気吸着部材１１３および第２の磁気吸着部材１１４を備え、磁気アッセンブリは、ルーフ１２に設けられた第１の磁気部材１２１および第２の磁気部材１２４を備え、第１の磁気部材１２１は第１の磁気吸着部材１１３に合わせて設けられ、第２の磁気部材１２４は第２の磁気吸着部材１１４に合わせて設けられる。好ましくは、本実施例において、第１の磁気吸着部材１１３は、マウス本体１１内に嵌められ、マウス本体１１の中央部に位置する。第２の磁気吸着部材１１４は、マウス本体１１内に嵌められ、マウス本体１１の尾部に位置する。第１の磁気吸着部材１１３と第２の磁気吸着部材１１４は、いずれも予め埋設された方式でマウス本体１１内に嵌められる。第１の磁気部材１２１は、ルーフ１２内に嵌められ、第１の磁気吸着部材１１３の位置に合わせた位置が設けられ、第２の磁気部材１２４は、ルーフ１２内に嵌められ、第２の磁気吸着部材１１４の位置に合わせた位置が設けられる。第１の磁気部材１２１と第２の磁気部材１２４は、いずれも予め埋設されたようにルーフ１２内に嵌められる。
【００３３】
第１の磁気吸着部材１１３および第１の磁気部材１２１の両方のうち、一方が磁石であり、他方が磁石又は鉄であり、本実施例において、両方も磁石であることが好ましい。第２の磁気吸着部材１１４および第２の磁気部材１２４の両方のうち、一方が磁石であり、他方が磁石又は鉄であり、本実施例において、両方も磁石であることが好ましい。
【００３４】
マウス本体１１の頂部には、第２の磁気吸着部材１１４の裏側に位置し、Ｂｌｕｅｔｏｏｔｈイヤホン３の充電状態を指示するための指示ランプ１１５が設けられる。指示ランプ１１５は赤色に表示されると、充電中であることを示し、指示ランプ１１５は緑色に表示されると、Ｂｌｕｅｔｏｏｔｈイヤホン３の充電が完了したことを示す。ルーフ１２は、少なくとも指示ランプ１１５に対応する位置で透明に設けられ、又は指示ランプ１１５に対応する位置に透光孔が設けられる。ルーフ１２は透明に設けられ、又はルーフ１２に透光孔が設けられることで、ルーフ１２を開かずに充電状態を観察することができ、便利である。
【００３５】
ルーフ１２は、囲み部と、蓋部と、二つの弾性押圧部１２２とを備え、蓋部は、囲み部の頂辺に設けられ、充電キャビン１１２の上方に位置し、二つの弾性押圧部１２２は、蓋部の先端に間隔をあけて設けられ、弾性押圧部１２２は、囲み部の頂辺から間隔をあけて設けられる。二つの弾性押圧部１２２は、マウス本体１１の左ボタンの上方および右ボタンの上方にそれぞれ位置し、弾性押圧部１２２の内壁には、押圧突起１２２１が突設され、弾性押圧部１２２が下方に押圧される場合、マウスが対応する制御指令を出すように、押圧突起１２２１がマウス本体１１の左ボタン又は右ボタンに押し付けることができる。
【００３６】
実施例２
図５〜図８に示すように、本実施例は、マウス１、無線受信機２と、Ｂｌｕｅｔｏｏｔｈイヤホン３とを備えるマウスアッセンブリを開示する。
【００３７】
図６〜図８を参照して、マウス１は無線受信機２と信号接続され、具体的には、無線マウス１は２．４Ｇ無線マウスであり、無線受信機２は２．４Ｇ無線マウス信号受信機であり、無線受信機２は、コンピュータに挿入され、マウス１は無線受信機２を介してコンピュータと信号接続され、コンピュータに命令を送信する。２．４Ｇ無線伝送技術は、ほぼ全ての型番のコンピュータをサポートし、無線接続の距離は１０メートルに達することができ、ＢｌｕｅｔｏｏｔｈやＷｉＦｉの干渉を有効に回避することができ、移動自在にして伝送を安定化させるとともに、線材の引っ掛かりの煩わしさを回避することができる。
【００３８】
マウス１は、マウス本体１１と、ルーフ１２とを備え、マウス本体１１内には、電力を供給するための電池が設けられる。マウス本体１１の尾端の頂部には、開口を上向きにする収容キャビン１１１と、電池と電気的に接続される充電キャビン１１２とが設けられる。収容キャビン１１１は、無線受信機２に合わせて設けられ、無線受信機２を収容するために用いられる。充電キャビン１１２は、Ｂｌｕｅｔｏｏｔｈイヤホン３に合わせて設けられ、Ｂｌｕｅｔｏｏｔｈイヤホン３を収容し、Ｂｌｕｅｔｏｏｔｈイヤホン３を充電するために用いられる。ルーフ１２はマウス本体１１の頂部に被せられ、収容キャビン１１１および充電キャビン１１２を覆うようにする。
【００３９】
Ｂｌｕｅｔｏｏｔｈイヤホン３と無線受信機２は、いずれもマウス本体１１内に収容することができ、Ｂｌｕｅｔｏｏｔｈイヤホン３と無線受信機２は紛失しにくく、専用の収容ケースが不要である。マウス本体１１には充電キャビン１１２が設けられ、マウス本体１１の電池はＢｌｕｅｔｏｏｔｈイヤホン３を充電することができ、専用の充電台を配置する必要はなく、また、電池はマウス１に電力を供給する。該マウスアッセンブリは、マウス１とＢｌｕｅｔｏｏｔｈイヤホン３に合わせる様々なアクセサリーを削減し、マウスアッセンブリの全体構造をより簡単にする。
【００４０】
具体的には、マウス本体１１の尾端の頂部には、二つの充電キャビン１１２が間隔をあけて設けられ、充電キャビン１１２は、マウス本体１１の長手方向に沿って設けられ、収容キャビン１１１は、収容キャビン１１１に対して対称に設けられる二つの充電キャビン１１２の間に位置する。Ｂｌｕｅｔｏｏｔｈイヤホン３は二つであり、それぞれ二つの充電キャビン１１２内に安置されている。Ｂｌｕｅｔｏｏｔｈイヤホン３の一部が充電キャビン１１２から突出し、ルーフ１２の内壁には、充電キャビン１１２から突出したＢｌｕｅｔｏｏｔｈイヤホン３の一部を収容するための収容溝１２３が設けられ、具体的には図８を参照する。
【００４１】
充電キャビン１１２の内側壁には、電池と電気的に接続される第１の充電接片１１２１が設けられ、Ｂｌｕｅｔｏｏｔｈイヤホン３の外側壁には、第１の充電接片１１２１と係合する第２の充電接片３１が設けられ、マウス本体１１内の電池が第１の充電接片１１２１と第２の充電接片３１を介してＢｌｕｅｔｏｏｔｈイヤホン３を充電することができる。具体的には、充電キャビン１１２の内壁には、三つの第１の充電接片１１２１が設けられ、Ｂｌｕｅｔｏｏｔｈイヤホン３には、三つの第２の充電接片３１が合わせて設けられる。第１の充電接片１１２１が弾性的に設けられることにより、第１の充電接片１１２１と第２充電接片３１との接触を良好に保つことができ、接触不良を回避することができる。
【００４２】
充電キャビン１１２内に、Ｂｌｕｅｔｏｏｔｈイヤホン３を吸着するための磁気部材が設けられ、Ｂｌｕｅｔｏｏｔｈイヤホン３が充電キャビン１１２内に安置されている場合、Ｂｌｕｅｔｏｏｔｈイヤホン３における磁石と磁気部材とは互いに吸着することができ、Ｂｌｕｅｔｏｏｔｈイヤホン３が充電キャビン１１２内に吸着され、自ら脱落しないようになっている。使用する必要がある場合には、取り出しも便利である。
【００４３】
収容キャビン１１１内にも磁気部材が設けられ、無線受信機を収容キャビン１１１内に吸着することができる。収容キャビン１１１の開口において、左右両側にはいずれも逃げ溝１１１１が設けられ、無線受信機を取り出す際に、指を入れて無線受信機を取り出しやすくなる。
【００４４】
マウス本体１１およびルーフ１２の両方のうち、一方に磁気吸着アッセンブリが設けられ、他方に磁気吸着アッセンブリに合わせる磁気アッセンブリが設けられる。具体的には、磁気吸着アッセンブリは、マウス本体１１に設けられた第１の磁気吸着部材１１３および第２の磁気吸着部材１１４を備え、磁気アッセンブリは、ルーフ１２に設けられた第１の磁気部材１２１および第２の磁気部材１２４を備え、第１の磁気部材１２１は第１の磁気吸着部材１１３に合わせて設けられ、第２の磁気部材１２４は第２の磁気吸着部材１１４に合わせて設けられる。好ましくは、本実施例において、第１の磁気吸着部材１１３は、マウス本体１１内に嵌められ、マウス本体１１の中央部に位置し、第２の磁気吸着部材１１４は、マウス本体１１内に嵌められ、マウス本体１１の尾部に位置する。第１の磁気吸着部材１１３と第２の磁気吸着部材１１４は、いずれも予め埋設された方式でマウス本体１１内に嵌められる。第１の磁気部材１２１は、ルーフ１２内に嵌められ、第１の磁気吸着部材１１３の位置に合わせた位置が設けられ、第２の磁気部材１２４は、ルーフ１２内に嵌められ、第２の磁気吸着部材１１４の位置に合わせた位置が設けられる。第１の磁気部材１２１と第２の磁気部材１２４は、いずれも予め埋設されたようにルーフ１２内に嵌められる。
【００４５】
第１の磁気吸着部材１１３および第１の磁気部材１２１の両方のうち、一方が磁石であり、他方が磁石又は鉄であり、本実施例において、両方も磁石であることが好ましい。第２の磁気吸着部材１１４および第２の磁気部材１２４の両方のうち、一方が磁石であり、他方が磁石又は鉄であり、本実施例において、両方も磁石であることが好ましい。
【００４６】
マウス本体１１の頂部には、指示ランプ１１５が設けられ、それは第２の磁気吸着部材１１４と収容キャビン１１１の間に位置し、指示ランプ１１５はＢｌｕｅｔｏｏｔｈイヤホン３の充電状態を指示するためのものである。指示ランプ１１５は赤色に表示されると、充電中であることを示し、指示ランプ１１５は緑色に表示されると、Ｂｌｕｅｔｏｏｔｈイヤホン３の充電が完了したことを示す。ルーフ１２は、少なくとも指示ランプ１１５に対応する位置で透明に設けられ、又は指示ランプ１１５に対応する位置に透光孔が設けられる。ルーフ１２は透明に設けられ、又はルーフ１２に透光孔が設けられることで、ルーフ１２を開かずに充電状態を観察することができ、便利である。
【００４７】
ルーフ１２は、囲み部と、蓋部と、二つの弾性押圧部１２２とを備え、蓋部は、囲み部の頂辺に設けられ、充電キャビン１１２の上方に位置し、二つの弾性押圧部１２２は、蓋部の先端に間隔をあけて設けられ、弾性押圧部１２２は、囲み部の頂辺から間隔をあけて設けられる。二つの弾性押圧部１２２は、マウス本体１１の左ボタンの上方および右ボタンの上方にそれぞれ位置し、弾性押圧部１２２の内壁には、押圧突起１２２１が突設され、弾性押圧部１２２が下方に押圧される場合、マウスが対応する制御指令を出すように、押圧突起１２２１がマウス本体１１の左ボタン又は右ボタンに押し付けることができる。
【００４８】
マウス本体１１には、電池と電気的に接続される充電インタフェース１１６が設けられ、充電インタフェース１１６は、マウス本体１１に露出し、外部電源を接続して電池を充電するために用いられる。本実施例における充電インタフェース１１６はＴｙｐｅ−Ｃインタフェースであり、該インタフェースは、構造の体積が小さく、マウス本体１１に設けやすく、構造汎用性が強く、データ線を選択してマウス本体１１を充電するのに便利である。
【００４９】
本考案の上記実施例は、単に本考案を明確に説明するために例示したものであり、本考案の実施形態を限定するものではないことが明らかである。当業者にとって、上記説明に基づいて、他の異なる形態の変化や変動を加えることも可能である。ここで必ずしも全ての実施形態を網羅するわけではない。本考案の精神と原則の範囲内で行われるいかなる修正、同等の置換及び改善などは、いずれも本考案の登録請求の範囲の保護範囲内に含まれるべきである。
【符号の説明】
【００５０】
１  マウス
１１  マウス本体
１１１  収容キャビン
１１１１  逃げ溝
１１２  充電キャビン
１１２１  第１の充電接片
１１３  第１の磁気吸着部材
１１４  第２の磁気吸着部材
１１５  指示ランプ
１１６  充電インタフェース
１２  ルーフ
１２１  第１の磁気部材
１２２  弾性押圧部
１２２１  押圧突起
１２３  収容溝
１２４  第２の磁気部材
２  無線受信機
３  Ｂｌｕｅｔｏｏｔｈイヤホン
３１  第２の充電接片
【図１】
0003231034.tif 000003
【図２】
0003231034.tif 000004
【図３】
0003231034.tif 000005
【図４】
0003231034.tif 000006
【図５】
0003231034.tif 000007
【図６】
0003231034.tif 000008
【図７】
0003231034.tif 000009
【図８】
0003231034.tif 000010
【手続補正書】
【提出日】令和2年12月25日(2020.12.25)
【手続補正１】
【補正対象書類名】実用新案登録請求の範囲
【補正対象項目名】全文
【補正方法】変更
【補正の内容】
【実用新案登録請求の範囲】
【請求項１】
マウスと、Ｂｌｕｅｔｏｏｔｈ（登録商標）イヤホンとを備え、前記マウスは、マウス本体と、ルーフとを備え、前記マウス本体内には電池が設けられるマウスアッセンブリであって、
前記マウス本体には、開口を上向きにして前記電池と電気的に接続される充電キャビンが設けられ、前記Ｂｌｕｅｔｏｏｔｈ（登録商標）イヤホンが前記充電キャビンに収容され、前記ルーフは前記充電キャビンを覆う、ことを特徴とするマウスアッセンブリ。
【請求項２】
前記マウスは有線マウスであり、前記マウス本体には、前記電池と電気的に接続される接続線が設けられ、前記接続線の前記マウス本体から離れた一端にはプラグが設けられる、ことを特徴とする請求項１に記載のマウスアッセンブリ。
【請求項３】
前記マウスは無線マウスであり、前記マウスアッセンブリは、無線受信機をさらに備え、前記マウス本体には、開口を上向きにして前記無線受信機を収容するための収容キャビンがさらに設けられる、ことを特徴とする請求項１に記載のマウスアッセンブリ。
【請求項４】
前記マウス本体の尾端の頂部には、二つの充電キャビンが間隔をあけて設けられ、
前記収容キャビンは、前記収容キャビンに対して対称に設けられる二つの前記充電キャビンの間に位置する、ことを特徴とする請求項３に記載のマウスアッセンブリ。
【請求項５】
前記充電キャビンの内側壁には、前記電池と電気的に接続される第１の充電接片が設けられ、前記Ｂｌｕｅｔｏｏｔｈ（登録商標）イヤホンの外側壁には、前記第１の充電接片と係合する第２の充電接片が設けられる、ことを特徴とする請求項１に記載のマウスアッセンブリ。
【請求項６】
前記収容キャビンの開口において、対向する両側にはそれぞれ逃げ溝が設けられる、ことを特徴とする請求項３に記載のマウスアッセンブリ。
【請求項７】
前記マウス本体および前記ルーフの両方のうち、一方に磁気吸着アッセンブリが設けられ、他方に前記磁気吸着アッセンブリに合わせる磁気アッセンブリが設けられる、ことを特徴とする請求項１に記載のマウスアッセンブリ。
【請求項８】
前記磁気吸着アッセンブリは、前記マウス本体に設けられた第１の磁気吸着部材および第２の磁気吸着部材を備え、前記磁気アッセンブリは、前記ルーフに設けられた第１の磁気部材および第２の磁気部材を備え、前記第１の磁気部材は前記第１の磁気吸着部材に合わせて設けられ、前記第２の磁気部材は前記第２の磁気吸着部材に合わせて設けられる、ことを特徴とする請求項７に記載のマウスアッセンブリ。
【請求項９】
前記マウス本体の頂部には、前記Ｂｌｕｅｔｏｏｔｈ（登録商標）イヤホンの充電状態を指示するための指示ランプが設けられる、ことを特徴とする請求項１に記載のマウスアッセンブリ。
【請求項１０】
前記ルーフの先端には、マウス本体の左ボタンの上方および右ボタンの上方にそれぞれ位置する二つの弾性押圧部が設けられる、ことを特徴とする請求項１に記載のマウスアッセンブリ。
【請求項１１】
前記マウス本体には、前記電池と電気的に接続される充電インタフェースが設けられ、前記充電インタフェースは前記マウス本体に露出する、ことを特徴とする請求項３に記載のマウスアッセンブリ。
【請求項１２】
前記マウスは２．４Ｇ無線マウスであり、前記無線受信機は２．４Ｇ無線マウス信号受信機である、ことを特徴とする請求項３に記載のマウスアッセンブリ。